(57)【要約】  コンクリートサイディングボードのための水切りは、略剛直なパネルと、ガイド突起と、内部突起と、両面接着テープの少なくとも１片を備える。ガイド突起と内部突起は、パネルの両端に一体形成されている。両面接着テープの少なくとも１片は、パネルの外装面上に設けられている。１つの実施例では、チャネルが２つ以上の片に分離している。また、構造体へのコンクリートサイディングボードの取り付け法は、セメントサイディングボードの第１片を構造体に固定し、ここに開示した水切りの実施例を供給し、内部突起を上部エッジに位置付け、セメントサイディングボードの第２片を両面接着テープの少なくとも１片に接着させ、セメントサイディングボードの第２片を構造体に固定する。【選択図】図２
2018528345.tif 000002
【特許請求の範囲】
【請求項１】
上部と下部と外装面を備えた略剛直なパネルと、
前記上部に一体形成されたガイド突起と、
前記下部に一体形成された内部突起と、
前記外装面に接着する両面接着テープの少なくとも１片と、
を備えた水切り。
【請求項２】
前記パネルは約５０ｍｍ〜約５００ｍｍのパネル高さを有することを特徴とする請求項１に記載の水切り。
【請求項３】
前記内部突起は約２ｍｍ〜約２５ｍｍの内部突起長を有することを特徴とする請求項１に記載の水切り。
【請求項４】
前記下部と一体に形成されたオフセット部をさらに備え、
前記内部突起が前記オフセット部と一体形成されていることを特徴とする請求項１に記載の水切り。
【請求項５】
前記オフセット部が約５ｍｍ〜約５０ｍｍのオフセット長を有することを特徴とする請求項４に記載の水切り。
【請求項６】
前記オフセット部と前記下部が、０度〜約４０度の角度を有するオフセット接合を形成することを特徴とする請求項４に記載の水切り。
【請求項７】
前記パネルが約７５ｍｍ〜約２０００ｍｍのパネル幅を有することを特徴とする請求項１に記載の水切り。
【請求項８】
前記両面接着テープの少なくとも１片が、両面接着テープの２片を有することを特徴とする請求項１に記載の水切り。
【請求項９】
前記両面接着テープの２片が、チャネルによって分離されていることを特徴とする請求項８に記載の水切り。
【請求項１０】
前記両面接着テープの各片が約５ｍｍ〜約６０ｍｍのテープ幅を有していることを特徴とする請求項９に記載の水切り。
【請求項１１】
前記両面接着テープの少なくとも１片が、少なくとも１つの溝を有していることを特徴とする請求項１に記載の水切り。
【請求項１２】
前記両面接着テープの少なくとも１片が内側面と外側面を有し、前記少なくとも１つの溝が前記外側面から前記内側面に対角線上を下向きに延びていることを特徴とする請求項１１に記載の水切り。
【請求項１３】
前記ガイド突起と前記上部が、約７０度〜約１１０度の角度を有するガイド突起接合を形成することを特徴とする請求項１に記載の水切り。
【請求項１４】
前記内部突起と前記下部が、約７０度〜約１１０度の角度を有する内部突起接合を形成することを特徴とする請求項１に記載の水切り。
【請求項１５】
前記パネルが、セメントサイディングボードの対応する片を収容するために、切れ目線に沿って割れて寸法を変更するように構成されていることを特徴とする請求項１に記載の水切り。
【請求項１６】
構造体へのセメントサイディングボードの取り付け法であって、
（ａ）上部エッジを備えたセメントサイディングボードの第１片を構造体に固定し、
（ｂ）上部と下部と外装面を備えた略剛直なパネルと、
前記上部に一体形成されたガイド突起と、
前記下部に一体形成された内部突起と、
前記外装面に接着する両面接着テープの少なくとも１片と、
を備えた水切りを供給し、
（ｃ）前記内部突起を前記上部エッジに位置付け、
（ｄ）前記セメントサイディングボードの第２片を前記両面接着テープの少なくとも１片に接着させ、
（ｅ）前記セメントサイディングボードの前記第２片を前記構造体に固定する
ことを特徴とする取り付け法。
【請求項１７】
前記ガイド突起に沿って前記セメントサイディングボードの前記第２片をガイドするステップをさらに備える請求項１６に記載の取り付け法。
【請求項１８】
前記両面接着テープの少なくとも１片が、少なくとも１つの保護層を備えることを特徴とする請求項１６に記載の取り付け法。
【請求項１９】
ステップ（ｄ）の前に、前記少なくとも１つの保護層を取り除くステップをさらに備える請求項１８に記載の取り付け法。
【請求項２０】
前記両面接着テープの少なくとも１片が、チャネルによって分離された前記両面接着テープの２片を備えることを特徴とする請求項１８に記載の取り付け法。
【発明の詳細な説明】
【技術分野】
【０００１】
本開示はコンクリートサイディングボード（board siding）のための水切り（flashing）に関する。より具体的には、本開示は略剛直なパネルと、ガイド突起と、内部突起と、両面接着テープの少なくとも１片を備えた水切りを対象にしている。本開示はまた、セメントサイディングボードを容易に取り付けるためのプロセスと製品も対象にしている。
【背景技術】
【０００２】
サイディングボードは、家やガレージや商用ビルを含む構造体の外装のための建築材料として頻繁に用いられる。コンクリートサイディングボードは、サイディングボードとして人気の種類である。コンクリートサイディングボードは、砂とセメントとセルロースの混合物で構成される。コンクリートサイディングボードは、経済的で、耐久性があり、腐食耐久性があり、木材を食う虫に耐久性があり、不燃性であり、そして様々な形状や寸法やスタイルにすることができる。また、コンクリートサイディングボードは外装染料又は塗料で処理できる。
【０００３】
その多くの望ましい特性を考慮すると、コンクリートサイディングボードが好ましいサイディングボード材となったことは驚くに当たらない。しかし、コンクリートサイディングボードは特にサイディングボードピース（siding pieces）とコンクリートサイディングボード取付けの間の相互作用に関して、幾つかの不都合な特性を有している。コンクリートサイディングボードは比較的重く、取り付けるのに扱いにくく、取り付けている間は壊れやすく、サイディングボードの各ピースは個別に取り付ける必要がある。特に、コンクリートサイディングボードは一般的に構造体の下から上向きに、一度にコンクリートサイディングボードの１ピースを取り付ける必要がある。コンクリートサイディングボードの取り付けには、コンクリートサイディングボードの各ピースの測定と保持と位置合わせと固定が含まれ、多くの場合、少なくとも２人の取付け者が必要だった。
【発明の概要】
【発明が解決しようとする課題】
【０００４】
従って、コンクリートサイディングボードの取付けをより容易で迅速に行う必要性がある。本開示の水切りと方法は、コンクリートサイディングボードを取り付けるための努力と時間を著しく低減する。
【課題を解決するための手段】
【０００５】
１つの実施例では、水切りは剛直なパネルと、ガイド突起と、内部突起とを備える。剛直なパネルは上部と下部と外装面を備える。ガイド突起は上部に一体形成され、内部突起は下部に一体形成される。剛直なパネルはパネル高さを備え、ガイド突起は約２ｍｍ〜約２５ｍｍのガイド突起長を有する。剛直なパネルはまた約７５ｍｍ〜約２０００ｍｍ、好ましくは約１００ｍｍ〜約１５００ｍｍのパネル幅を有する。内部突起は約２ｍｍ〜約２５ｍｍの内部突起長を有する。水切りは外装面に接着する両面接着テープの少なくとも１片を備える。
【０００６】
幾つかの実施例では、水切りは下部と一体に形成されたオフセット部を備える。内部突起がオフセット部と一体形成される。オフセット部が約５ｍｍ〜約５０ｍｍのオフセット長を有する。
【０００７】
様々な実施例では、両面接着テープの少なくとも１片が、両面接着テープの２片、３片、４片、又はそれ以上を有する。両面接着テープの各片は、チャネルによって分離される。両面接着テープの各片が約５ｍｍ〜約６０ｍｍのテープ幅を有する。
【０００８】
実施例では、構造体へのセメントサイディングボードの取り付け法が提供され、上部エッジを備えたセメントサイディングボードの第１片を構造体に固定し；上部と下部と外装面を備えた略剛直なパネルと、前記上部に一体形成されたガイド突起と、前記下部に一体形成された内部突起と、前記外装面に接着する両面接着テープの少なくとも１片と、を備えた水切りを供給し；前記内部突起を前記上部エッジに位置付け；前記セメントサイディングボードの第２片を前記両面接着テープの少なくとも１片に接着させ；前記セメントサイディングボードの前記第２片を前記構造体に固定する各ステップを備える。
【０００９】
セメントサイディングボードの取り付け法は、前記ガイド突起に沿って前記セメントサイディングボードの前記第２片をガイドするステップを備える。
【００１０】
また別の実施例では、両面接着テープの少なくとも１片が、少なくとも１つの保護層を備える。セメントサイディングボードの第２片を両面接着テープの少なくとも１片に接着させる前に、少なくとも１つの保護層を取り除く。
【図面の簡単な説明】
【００１１】
【図１】水切りの実施例の側面図である。
【図２】水切りの別の実施例の側面図である。
【図３】水切りのまた別の実施例の側面図である。
【図４】水切りの実施例の立面図である。
【図５】水切りの別の実施例の立面図である。
【図６】水切りのまた別の実施例の立面図である。
【図７】構造体と関連した水切りの実施例の立面図である。
【図８】コンクリートサイディングボードの第１片及びコンクリートサイディングボードの第２片と関連した水切りの実施例の側面図である。
【図９】水切りの実施例の上背面斜視図である。
【図１０】図９の実施例の上正面斜視図である。
【発明を実施するための形態】
【００１２】
本開示の実施例について、詳細に申し述べる。本開示の範囲から逸脱することなく本開示の教示から様々な変形や変更ができることは、当業者には明らかであろう。例えば、1つの実施例の一部として図示され又は記載された特徴は、別の実施例と共に用いて更なる実施例を生み出すことができる。
【００１３】
このように、添付された請求項とその等価物の範囲内でのこのような変形や変更をカバーすることを本開示は意図している。本開示の他の目的、特徴、及び態様は、以下の詳細な説明に開示されているか、又は詳細な説明から明らかである。本開示は例示的な実施例の説明でしかなく、本開示のより広い態様を限定することを意図していないことを、当業者は理解すべきである。
【００１４】
明確性のために、各図面に全ての参照符号が必ずしも示されていない。加えて、例えば「上部」「下部」「側部」「頂部」「底部」「垂直」「水平」等の位置関係の用語は、図面に示された向きでの水切りを参照している。使用時に水切りが異なる向きを取ることができるのを、当業者は認識できるであろう。
【００１５】
図１に水切り１０の側面図を示す。水切り１０は、コンクリートサイディングボードと共に用いることを意図している。水切り１０は剛直な又は略剛直な材料で構成される。「略剛直」とは、コンクリートサイディングボードを支持し、コンクリートサイディングボードが構造体に固定される前後に適所で保持するのに十分な材料強度を水切り１０が有していることを意味する。例えば、水切り１０は鋼鉄、ヨウ素添加アルミニウム、又は高密度ポリエチレンのような高分子量の有機ポリマーなどから構成される。１つの実施例では、水切り１０は１０〜４０ゲージ鋼板材、好ましくは２０〜３０ゲージ鋼板材で構成される。水切り１０は関係するコンクリートサイディングボードの色に合致するように塗料が塗布される。
【００１６】
水切り１０は略剛直なパネル１２を備える。略剛直なパネル１２は、上部１４、下部１６、及び外装面３４（図４〜６に示す）を有する。パネル１２は、約５０ｍｍ〜約５００ｍｍ、好ましくは約１００ｍｍ〜４００ｍｍのパネル高さ２２を有する。パネル高さ２２は、水切り１０が関係するコンクリートサイディングボードのコンクリートサイディングボード長さより約６．３５ｍｍ小さい。パネル１２は、パネル高さ２２の約１０％〜約５０％のパネル幅３２を有する。パネル高さ２２とパネル幅３２は、水切り１０が関係するコンクリートサイディングボードの寸法に関連して変化する。水切り１０は、例えば一般的なサイディングボード幅寸法である５．２５インチ、６．２５インチ、７．２５インチ、８．２５インチ、９．２５インチ、及び１２インチのような様々なサイディングボード寸法に連動して用いるように構成されている。水切り１０は、現場での場合を含む取付け者によって変更されたサイディングボード寸法に連動して用いるように構成される。例えば、１つの実施例では、パネル１２は少なくとも１本の線６４を備え、この線に沿ってパネルが穴あけされたり（perforated）、ミシン目を入れられたり（scored）、曲げられる。水切り１０が一般的な幅寸法を含む複数のサイディングボード幅に取り付け可能なように、線６４は所定の位置に設けられる。１つ以上の線６４を有する１つの実施例では、各線が一般的なサイディングボード幅に対応して、取付け者が線６４に沿って水切り１０を折ったり曲げたりして、取り付けるサイディングボードのサイディングボード幅に対応した新しいパネル高さ２２と新しい上部１４又はガイド突起１８を形成するように線６４が位置付けられる。
【００１７】
上部１４はガイド突起１８を備える。１つの実施例では、ガイド突起１８は上部１４と一体形成される。ガイド突起１８は約２ｍｍ〜約２５ｍｍ、好ましくは約４ｍｍ〜約２０ｍｍのガイド突起長２４を有する。１つの実施例では、ガイド突起長２４はパネル高さ２２の約１％〜約１０％である。ガイド突起１８と上部１４は交差して約７０度〜約１１０度の角度を有するガイド突起接合５６を形成する。
【００１８】
１つの実施例では、ガイド突起１８はパネル１２から取り外し可能に構成される。例えば、パネル１２が線６４（図４に示す）に沿って穴あけされる。コンクリートサイディングボードが水切り１０と共に取り付けられ、構造体に固定される前後に、ガイド突起１８が取付け者によってミシン目（perforation）を介してポキリと折られる（snapped off）ように、線６４はガイド突起１８とパネル１２の間に設けられる。ミシン目が線６４の沿って折られるように、例えばガイド突起１８に圧力を加えてガイド突起をポキリと折る。別の実施例では、水切り１０はガイド突起１８を備えない。
【００１９】
下部１６は内部突起２０を備える。１つの実施例では、内部突起２０は下部１６と一体形成される。内部突起２０は約２ｍｍ〜約２５ｍｍの内部突起長２６を有する。別の実施例では、内部突起長２６はパネル高さ２２の約１％〜約１０％である。内部突起２０と下部１６は交差して約７０度〜約１１０度、好ましくは約９０度の角度を有する内部突起接合５８を形成する。
【００２０】
水切り１０の別の実施例の側面図を図２に示す。図２の実施例では、水切り１０は下部１６にオフセット部２８を備える。オフセット部２８は下部１６と一体形成される。
【００２１】
水切り１０のまた別の実施例の側面図を図３に示す。図３の実施例では、オフセット部２８と下部１６は約０度〜約４０度、好ましくは約０度〜約２０度、最も好ましくは約０度〜約５度の角度を有するオフセット接合６０を形成する。板金（sheet metal）で構成される１つの実施例では、オフセット部２８はパネル１２を折り曲げて形成され、底縁１７を画定し、オフセット部２８は上向きに延びて、内部突起２０が第二の折れ目になる。
【００２２】
水切り１０の実施例の立面図を図４に示す。水切り１０は約７５ｍｍ〜約２０００ｍｍ、好ましくは約１００ｍｍ〜約１５００ｍｍのパネル幅３２を備える。１つの実施例では、パネル幅３２はパネル高さ２２の約１０％〜約５０％である。パネル１２は外装面３４を有する。接着テープの少なくとも１片が外装面３４に固定される。例えば、１つの実施例では、両面接着テープ３６の少なくとも１片が外装面３４に接着固定される片面を有する。  両面接着テープ３６の少なくとも１片は、約５ｍｍ〜約６０ｍｍのテープ幅３９を有する。１つの実施例では、テープ幅３９はチャネル幅４０の約２０％〜約２００％である。テープ幅３９はパネル幅３２の約１０％〜約１００％である。接着テープ３６は、（図示のように）パネル１２の外側面４４に沿って位置付けられるか、又はパネル１２の外側面４４から内側に引っ込んで（recessed from）位置付けられる。接着テープ３６は、コンクリートサイディングボードの一片を適所に一時的に、即ち、取付け者がこのコンクリートサイディングボードの一片を固定するまで保持するのに十分な接着力を有する。
【００２３】
両面接着テープ３６の少なくとも１片は、テープの外装面３４と反対側の面を覆う少なくとも１つの保護層３７を備える。両面接着テープ３６の少なくとも１片は、１片、２片（図５に示す）、又は３以上の片（図６に示す）である。両面接着テープ３６の少なくとも１片も、線６４に沿ってミシン目が入れられている。
【００２４】
図５に、両面接着テープ３６の２片を有する水切り１０の実施例の立面図を示す。両面接着テープ３６の１片以上を有する実施例では、チャネル３８が両面接着テープ３６の２片以上の間に設けられる。コンクリートサイディングボード片の突き合わせ継手４１（図示せず）がチャネルの上に位置付けられる。チャネル３８はチャネル幅４０を有する。１つの実施例では、チャネル幅４０は約５ｍｍ〜約５０ｍｍである。別の実施例では、チャネル幅４０はパネル幅３２の約１０％〜約９０％である。
【００２５】
水切り１０は外装面３４を貫通する少なくとも１つの開口３５を備えることができる。少なくとも１つの開口３５は、水切り１０を取付け者のツールベルトのベルトクリップに取り付けることができるように構成されている。少なくとも１つの開口３５は、外側面４４に向かって、又は隣接して位置付けられる。別の実施例では、少なくとも１つの開口３５は、接着テープ３６の内側面４６に向かって、又は隣接して位置付けられる。少なくとも１つの開口３５は、ガイド突起１８に略隣接して位置付けられる。別の実施例では、少なくとも１つの開口３５は、ガイド突起１８上に位置付けられる。
【００２６】
図６に少なくとも１つの溝４２を有する水切り１０の実施例の立面図を示す。少なくとも１つの溝４２は、両面接着テープ３６の各片の間に設けられる。少なくとも１つの溝４２は、両面接着テープ３６の少なくとも１片の外側面４４から両面接着テープ３６の少なくとも１片の内側面４６に向かって下向きに延びる。少なくとも１つの溝４２は、約１ｍｍ〜約１５ｍｍの溝幅４３を有する。別の実施例では、少なくとも１つの溝４２は、テープ幅３９の約１０％〜約５０％の溝幅４３を有する。少なくとも１つの溝４２は、約５ｍｍ〜約１５０ｍｍの溝長４５を有する。別の実施例では、溝長４５はテープ幅３９の約１００％〜約２５０％である。少なくとも１つの溝４２は、例えば、両面接着テープ３６の複数の片を間隔をあけて取り付けることによって、又は、１つ以上の両面接着テープ３６に複数の溝を切ることによって形成される。湿潤気候では特に重要なことに、少なくとも１つの溝４２はコンクリートサイディングボードの裏側の領域に空気が流れることを許容して、コンクリートサイディングボードの裏側の領域の乾燥を維持する。また、少なくとも１つの溝４２の下向きの傾斜は、チャネル３８から外側面４４へ水が通過することを許容しない。
【００２７】
図７に構造体４８及びコンクリートサイディングボード５０の第一片と関連した水切り１０の実施例を示す。構造体４８は、家、物置（shed）、納屋（barn）、ガレージ、商業用ビル、教会、及び他の種類のビルディングである。セメントサイディングボード５０の第一片は、構造体４８に固定されている。セメントサイディングボード５０の第一片は、例えばネジや釘で、構造体４８に固定されている。セメントサイディングボード５０の第一片は、上縁５２を備える。内部突起２０は内部突起が上縁５２に設けられるように上縁５２に位置付けられる。
【００２８】
水切り１０は構造体４８に固定されるように構成されている。水切り１０は、少なくとも１つの開口３５と構造体を通して釘又はネジによって構造体４８に固定される。
【００２９】
実施例では、水切り１０は両面接着テープ３６の少なくとも１片を有する。両面接着テープ３６の少なくとも１片は、両面接着テープ３６の接着性を保持するために両面接着テープ３６の少なくとも１片を覆う少なくとも１つの保護層３７を備える。コンクリートサイディングボード５４の第二片は、両面接着テープ３６の少なくとも１片に接着される。少なくとも１つの保護層３７を有する実施例では、コンクリートサイディングボード５４の第二片を接着するのに先立って保護層３７が取り除かれる。次にコンクリートサイディングボード５４の第二片は構造体４８に固定される。構造体４８は、水切り１０、コンクリートサイディングボード５０の第一片、及びコンクリートサイディングボード５４の第二片の下に、発泡体絶縁板又は他の種類のバリア材料を備える。コンクリートサイディングボード５４の第二片は構造体４８に固定される。
【００３０】
有利なことに、両面接着テープ３６の少なくとも１片はコンクリートサイディングボード５４の第二片を適所に保持するので、一人の取付け者がコンクリートサイディングボード５４の第二片とコンクリートサイディングボードのそれに続く片（図示せず）を位置付け、固定することができる。このように、実施例では、コンクリートサイディングボードのために２人以上の取付け者の必要性が解消される。
【００３１】
別の実施例では、取付け者がガイド突起１８を用いてコンクリートサイディングボード５４の第二片をガイドする。具体的には、コンクリートサイディングボード５４の第二片はガイド突起１８に立てかけて設けられ（disposed against）、次に両面接着テープ３６の少なくとも１片に接着して構造体に固定される。コンクリートサイディングボード５４の第二片をガイドすることで、コンクリートサイディングボード５４の第二片をコンクリートサイディングボード５０の第一片に対して配置するための測定の必要性が解消される。
【００３２】
図８にコンクリートサイディングボード５０の第一片及びコンクリートサイディングボード５４の第二片と関連した水切り１０の実施例の側面図を示す。オフセット長３０は、コンクリートサイディングボード５０の第一片とコンクリートサイディングボード５４の第二片の重なり高さ６２を調節するために変化する。オフセット長３０は、約５ｍｍ〜約５０ｍｍ、好ましくは約１０ｍｍ〜約３０ｍｍ、最も好ましくは約２５ｍｍである。実施例では、オフセット長３０は、パネル高さの約５％〜約２５％のオフセット長を有する。重なり高さ６２は、約１０ｍｍ〜約５０ｍｍ、好ましくは約３１．７５ｍｍである。
【００３３】
図９は、水切り１０の上背面斜視図である。実施例では、水切り１０は底縁１７で折り曲げられた底部１６を有するパネル１２を備える。底縁１７は、内部突起２０を備える。パネル１２はガイド突起１８を備える。底縁１７と内部突起２０の間の距離が、オフセット長３０となる。
【００３４】
図１０は、図９に示した水切り１０の上正面斜視図である。パネル１２は、接着テープ３６の２片を備える。接着テープ３６の２片は、保護層３７で保護されている。チャネル３８が接着テープ３６の２片を分離し、チャネル幅４０を有する。
【００３５】
本開示の実施例を特定の用語、装置、及び方法を用いて説明してきたが、このような説明は例示のみを目的としている。用いられた言葉は限定の為でなく、説明のための言葉である。以下の請求項で明記された本開示の精神と範囲を逸脱することなく変更や変形が当業者によってできることは理解すべきである。加えて、様々な実施例の態様は全体的に又は部分的に相互交換できる。従って、添付の請求項の精神と範囲はここに含まれる説明に限定されるべきでない。
【００３６】
ここに提供された任意の範囲は、その範囲内の任意のサブセットのサポートと基礎を提供する。
【００３７】
従って、本発明の新しく有用な水切りとコンクリートサイディングボードの取付け方法の具体的な実施例を説明してきたが、これらの言及は、以下の請求項に明記されたものを除き、本発明の範囲を限定するものとして解釈することを意図していない。
【図１】
2018528345.tif 000003
【図２】
2018528345.tif 000004
【図３】
2018528345.tif 000005
【図４】
2018528345.tif 000006
【図５】
2018528345.tif 000007
【図６】
2018528345.tif 000008
【図７】
2018528345.tif 000009
【図８】
2018528345.tif 000010
【図９】
2018528345.tif 000011
【図１０】
2018528345.tif 000012
【国際調査報告】
2018528345.tif 000013
2018528345.tif 000014